(57)【要約】      （修正有）【課題】自転車、オートバイ、自動車、自動販売機、農機具、家電機器の重量を感知する重量センサを下敷きとして物品の有無を感知し、所定時間の経過後に警告，告知，録画等を可能とした盗難防止具を提供する。【解決手段】所要の重量を有する被検知体１０の重量を感知する重量センサＳと、重量センサからの重量情報Ｉを入力して所定情報値Ｉ０にする情報処理部１と、情報処理部の数値が所定の重量減少を所定時間維持すると警報信号Ａを発信する情報発信部２と、情報発信部からの警報信号で警報音Ｋ又は警報メッセージＭを発信するアラーム部３と、を備える。重量センサは、防水構成された歪みセンサ素子、又は圧電素子であり、偏平な立方フレーム体６の内部に設置される。【選択図】図１
0003188703.tif 000002
【実用新案登録請求の範囲】
【請求項１】
所要の重量を有する被検知体の重量を感知する重量センサと、上記重量センサからの重量情報を入力して検出情報値にする情報処理部と、上記情報処理部の検出情報値が所定の重量減少を所定時間維持すると警報信号を発信する情報発信部と、上記情報発信部からの警報信号で警報音又は警報メッセージを発信するアラーム部と、を具備したことを特徴とする盗難防止具。
【請求項２】
扁平な立方体に形成したフレーム体と、このフレーム体内に上面が撓み可能な天板で形成した空間と、上記空間の上面に設けた天板内壁に撓みを感知する重力センサを設けるとともに、上記空間内に上記重力センサの情報処理部と検出情報値が所定の重量減少を感知すると警報信号を発信する情報発信部と上記情報発信部からの警報信号で警報音又は警報メッセージを発信するアラーム部と電源部とこの充電部とを、具備したことを特徴とする盗難防止具。
【請求項３】
略立方体に形成したフレーム体と、このフレーム体内に上面が微軽量な重量変化で撓み可能な天板で形成した空間と、上記天板内壁に微量撓みを感知する重力センサを設けるとともに、上記空間内に上記重力センサの情報処理部と検出情報値が所定の重量減少を感知すると警報信号を発信する情報発信部と上記情報発信部からの警報信号で警報音又は警報メッセージを発信するアラーム部と電源部とを、具備したことを特徴とする盗難防止具。
【請求項４】
所要の重量を有する被検知体の重量を感知する重量センサと、上記重量センサからの重量情報を入力して検出情報値にする情報処理部と、上記情報処理部の検出情報値が所定の重量減少を所定時間維持すると警報信号を発信する情報発信部と、上記情報発信部からの警報信号で警報音又は警報メッセージを発信するアラーム部と、上記情報発信部からの警報信号を携帯電話又はスマートフォン又はパーソナルコンピュータ又は警備保障センタ等に送信表示する情報送信装置と、を具備したことを特徴とする盗難防止具。
【請求項５】
所要の重量を有する被検知体の重量を感知する重量センサと、上記重量センサからの重量情報を入力して検出情報値にする情報処理部と、上記情報処理部の検出情報値が所定の重量減少を所定時間維持すると警報信号を発信する情報発信部と、上記情報発信部からの警報信号により被検知体の近傍に設置したビデオカメラを自動起動して所定時間被検知体とその周辺を撮影する情報映像指令装置と、を具備したことを特徴とする盗難防止具。
【請求項６】
上記被検知体は、自転車、自動二輪車、自動車、自動販売機、農機具、家電機器等であることを特徴とする請求項１または２または４または５記載の盗難防止具。
【請求項７】
上記重量センサは、シート状又はマット状の扁平体内に歪みセンサ素子又は圧電素子等を防水構成で内装したことを特徴とする請求項１または２または４または５記載の盗難防止具。
【考案の詳細な説明】
【技術分野】
【０００１】  本考案は、自転車、オートバイ、自家用車等の他運搬可能な物品の盗難防止具やジュエリー等の小物の盗難防止具に係わり、特に、重量センサにより物品の有無を感知機能により警告，通告，録画等を可能とした盗難防止具に関する。
【背景技術】
【０００２】  自転車、オートバイ、自家用車等の他運搬可能な物品の盗難防止具は、多機能でシステム化した装置が多く提供されている。例えば、宝飾品の如き極く小型の商品でもその盗難を効果的に防止することができる陳列物品の盗難防止方法がある。その構成は、物品が陳列板に載置されているか否かを重量センサ又は接触センサにより検知し、所定時間内に復帰しない場合に警報装置を作動するようにしたものである（例えば、特許文献１。）。【０００３】  また、別の盗難防止具は、運転室のマット下に配置され、感圧作動するフットスイッチを設ける。ボンネットの開放状態を感知するボンネット開放センサを設ける。アクセルに連動するスロットルワイヤーに、該スロットルワイヤーの伸縮を感知するアクセル用センサを備える。これらフットスイッチ、ボンネット開放センサ、アクセル用センサを同時に作動待機又は作動解除するメインスイッチを設ける。該メインスイッチにより作動待機中のいずれかが作動したときに警報音を発生させる。しかして、複数の警報装置を効率的に組み合わせることで、高いセキュリティを発揮する。乗降時の操作が容易で日常の使用に好適なものである（例えば、特許文献２。）。【０００４】  更に、盗難防止具は、車両が盗難にあたり、あるいは盗難未遂の恐れが生じた場合等に、直ちに盗難（未遂）を防ぐ等対応ができるものである。その構成は、特定の車両対して異常な取扱いを受けることにより警報信号を発信する車両側に設けられた警報信号発信装置と、車両側に設けられ、警報信号発信装置から発信される警報信号を受信し、この警報信号を外部へ発信する車載器と、この車載器から発信される警報信号を受信する警備センタとを備えたものである（例えば、特許文献３。）。【０００５】  更に、別の盗難防止具は、工事現場、倉庫、自転車、オートバイ、自動販売機等に使用するワイヤーロック錠においてワイヤーが切断された時に警報を発し、盗難を断念させると共に管理者に知らせる事ができるセキュリティーシステムである。その構成は、ワイヤーに電流を流し切断を検出する電子回路と無線通信機能を備えたワイヤーロック錠と、無線通信機能と警報機能を備えた遠隔警報装置と、無線通信機能と電気通信回線に接続して電子メールを発信する外部通信機能を備えた管理装置からなるシステムを構成し、ワイヤーが切断されたワイヤーロック錠は、切断情報を無線で遠隔警報装置と管理装置に通知する。知らせを受けた警報装置は、警報音で犯人を威嚇すると共に周囲に異常を通報し、知らせを受けた管理装置は、電気通信回線を通じて切断情報を管理者宛に電子メールを送信する盗難防止システムである（例えば、特許文献４。）。
【先行技術文献】
【特許文献】
【０００６】
【特許文献１】  特開平１０−３０４９５４号公報
【特許文献２】  実用新案登録第３０８４４５３号公報
【特許文献３】  特開２００４−２５６０７４号公報
【特許文献４】  特開２０１０−１９６４５１号公報
【考案の概要】
【考案が解決しようとする課題】
【０００７】  上記特開平１０−３０４９５４号公報の陳列物品の盗難防止方法は、物品が陳列板に載置されているか否かを重量センサ又は接触センサにより検知し、所定時間内に復帰しない場合に警報装置を作動するようにしたものであるから、簡単な構成により安価に盗難装置を提供出来そうであるが、無線の送受信装置やコンピュータを介した複数センサからの情報処理等高価な装置になり、個人的な一般家庭内やツーリング先での盗難防止具として適用できない。【０００８】  また、実用新案登録第３０８４４５３号公報の盗難防止具は、運転室のマット下に感圧作動するフットスイッチを設け、ボンネットの開放状態を感知するボンネット開放センサを設け、アクセルに連動するスロットルワイヤーに、該スロットルワイヤーの伸縮を感知するアクセル用センサを備え、上記各センサを同時に作動待機又は作動解除するメインスイッチを設ける。メインスイッチにより作動待機中にいずれかが作動したときに警報音を発生するものである。しかしながら、車両をリフター等で吊り上げキャリアーカーで搬送されると機能せず、警報音を発せられないと言う問題点がある。【０００９】  また、特開２００４−２５６０７４号公報の車両が盗難にあたり、あるいは盗難未遂の恐れが生じた場合等に、直ちに盗難（未遂）を防ぐ等対応ができるものである。特定の車両対して異常な取扱いを受けることにより警報信号を発信する車両側に設けられた警報信号発信装置と、車両側に設けられ、警報信号発信装置から発信される警報信号を受信し、この警報信号を外部へ発信する車載器と、この車載器から発信される警報信号を受信する警備センタとを備えたものであるから、無線の送受信装置やコンピュータを介した複数センサからの情報処理等高価な装置になり、個人的な一般家庭内やツーリング先での盗難防止具として適用できない。【００１０】  また、特開２０１０−１９６４５１号公報の無線ワイヤーロック錠は、工事現場、倉庫、自転車、オートバイ、自動販売機等に使用するワイヤーロック錠において、ワイヤーが切断された時に警報を発し、盗難を断念させると共に管理者に知らせる事ができるセキュリティーシステムであるから、自転車、オートバイ、自動販売機等をリフター等で吊り上げキャリア・カーで搬送されると、無線ワイヤーロック錠が機能せず、警報音を発せられないと言う問題点がある。【００１１】  本考案は、上記各種盗難装置が持つ問題点に鑑みてなされたものである。その目的は、自転車、オートバイ、自動車等の重量を感知する重量センサを下敷きとして物品の有無を感知させ、瞬時又は所定時間の経過後に警告，告知，録画等を可能とした安価で簡便な盗難防止具を提供する。
【課題を解決するための手段】
【００１２】  上記目的を達成するべく本考案の請求項１による盗難防止具は、所要の重量を有する被検知体の重量を感知する重量センサと、上記重量センサからの重量情報を入力して検出情報値にする情報処理部と、上記情報処理部の検出情報値が所定の重量減少を所定時間維持すると警報信号を発信する情報発信部と、上記情報発信部からの警報信号で警報音又は警報メッセージを発信するアラーム部と、を具備したことを特徴とする。【００１３】  本考案の請求項２による盗難防止具は、扁平な立方体に形成したフレーム体と、このフレーム体内に上面が撓み可能な天板で形成した空間と、上記空間の上面に設けた天板内壁に撓みを感知する重力センサを設けるとともに、上記空間内に上記重力センサの情報処理部と検出情報値が所定の重量減少を感知すると警報信号を発信する情報発信部と上記情報発信部からの警報信号で警報音又は警報メッセージを発信するアラーム部と電源部とこの充電部とを、具備したことを特徴とする。【００１４】  本考案の請求項３による盗難防止具は、略立方体に形成したフレーム体と、このフレーム体内に上面が微軽量な重量変化で撓み可能な天板で形成した空間と、上記天板内壁に微量撓みを感知する重力センサを設けるとともに、上記空間内に上記重力センサの情報処理部と検出情報値が所定の重量減少を感知すると警報信号を発信する情報発信部と上記情報発信部からの警報信号で警報音又は警報メッセージを発信するアラーム部と電源部とを、具備したことを特徴とする。【００１５】  本考案の請求項４による盗難防止具は、所要の重量を有する被検知体の重量を感知する重量センサと、上記重量センサからの重量情報を入力して検出情報値にする情報処理部と、上記情報処理部の検出情報値が所定の重量減少を所定時間維持すると警報信号を発信する情報発信部と、上記情報発信部からの警報信号で警報音又は警報メッセージを発信するアラーム部と、上記情報発信部からの警報信号を携帯電話又はスマートフォン又はパーソナルコンピュータ又は警備保障センタ等に送信表示する情報送信装置と、を具備したことを特徴とする。【００１６】  本考案の請求項５による盗難防止具は、所要の重量を有する被検知体の重量を感知する重量センサと、上記重量センサからの重量情報を入力して検出情報値にする情報処理部と、上記情報処理部の検出情報値が所定の重量減少を所定時間維持すると警報信号を発信する情報発信部と、上記情報発信部からの警報信号により被検知体の近傍に設置したビデオカメラを自動起動して所定時間被検知体とその周辺を撮影する情報映像指令装置と、を具備したことを特徴とする【００１７】  本考案の請求項６による盗難防止具は、請求項１または２または４または５記載の盗難防止具において、上記上記被検知体は、自転車、自動二輪車、自動車、自動販売機、農機具、家電機器等であることを特徴とする。【００１８】  本考案の請求項７による盗難防止具は、請求項１または２または４または５記載の盗難防止具において、上記重量センサは、シート状又はマット状の扁平体内に歪みセンサ素子又は圧電素子等を防水構成で内装したことを特徴とする。
【考案の効果】
【００１９】  上記請求項１と２記載の盗難防止具によると、被検知体となる自転車、自動二輪車、自動車、自動販売機、農機具、家電機器等は、重量センサにより、各被検知体の重量が感知されており、上記重量センサの重量情報の検出情報値が所定の重量減少を所定時間維持すると、アラーム部が情報発信部からの警報信号で警報音又は警報メッセージを発信するから、簡便な手段により盗みを働く犯人を退散できる。特に、扁平な立方体に形成した堅牢なフレーム体と、このフレーム体内に重量センサ及び電装ユニットを設けたから、コンパクトな盗難防止具となり、ポケットへの収納が容易で自転車、オートバイのツーリング先で駐車時に簡単にセットできる。【００２０】  上記請求項３記載の盗難防止具によると、略立方体に形成したフレーム体と、このフレーム体内に上面が微軽量な重量変化で撓み可能な天板で形成した空間と、上記天板内壁に微量撓みを感知する重力センサを設けているから、ジュエリー（指輪、ネックレス、ブレスレット、イヤリング、ブローチ他）等の高価な小物の盗難防止具としての機能を発揮でき、宝石店において店員のスキを狙った盗難を防止できる。また、閉店後の盗難防止にも発揮できる。【００２１】  上記請求項４の盗難防止具によると、アラーム部が情報発信部からの警報信号で警報音又は警報メッセージを発信するとともに、上記情報発信部からの警報信号を送信表示する情報送信装置から携帯電話又はスマートフォン又はパーソナルコンピュータ又は警備保障センタ等に伝送できるから、盗難行為をリアルタイムに察知でき、緊急対応できる。【００２２】  また、上記請求項５の盗難防止具によると、アラーム部が情報処理部の検出情報値が所定の重量減少を所定時間維持すると警報信号を発信すると、被検知体の近傍に設置したビデオカメラが情報映像指令装置により自動起動して所定時間被検知体とその周辺を撮影できるから、盗難行為をリアルタイムに映像として保存でき、盗難犯人の特定が緊急対応できる。【００２３】  また、上記請求項６と７の盗難防止具によると、被検知体は、自転車、自動二輪車、自動車、自動販売機、農機具、家電機器等を広範囲に対象に出来るとともに、重量センサは、シートとマットからなる扁平体内に歪みゲージ又は圧電素子等を防水構成で内装したから、厚みが少なくしかも広い面積の形状を呈し、且つ被検知体を安定して重量センサ上に載せられる。また、盗難犯人にも重量センサの存在を気付かれ難いと言う効果がある。
【図面の簡単な説明】
【００２４】
【図１】  本考案の第１の実施の形態で盗難防止具の全体斜視図と要部のブロック線図である。
【図２】  本考案の第１の実施の形態で、歪みゲージによる重量センサの斜視図と断面図である。
【図３】  本考案の第１の実施の形態で、圧電素子による重量センサの斜視図と断面図である。
【図４】  本考案の第２の実施の形態で、盗難防止具のブロック線図である。
【図５】  本考案の第３の実施の形態で、盗難防止具のブロック線図である。
【図６】  本考案の第４の実施の形態で、盗難防止具の斜視図である。
【図７】  本考案の第４の実施の形態で、盗難防止具のフレーム体の斜視図である。
【図８】  本考案の第４の実施の形態で、盗難防止具のブロック線図である。
【図９】  本考案の第５の実施の形態で、盗難防止具の斜視図である。
【考案を実施するための形態】
【００２５】  以下、図１乃至図９を参照し、本考案の各実施の形態となる盗難防止具を説明する。以下、実施例でその詳細を順次に説明する。
【実施例】
【００２６】  本考案の第１の実施の形態となる盗難防止具１００は、図１に示すように構成されている。盗難防止具１００は、所要の重量を有する被検知体１０の重量を感知する重量センサＳと、上記重量センサＳからの重量情報Ｉを入力して検出情報値Ｉ０にする情報処理部１と、上記情報処理部の数値（所定情報値）Ｉ０が所定の重量減少を所定時間Ｔに渡り維持すると警報信号Ａを発信する情報発信部２と、上記情報発信部２からの警報信号Ａで警報音Ｋ又は警報メッセージＭを発信するアラーム部３と、を少なくとも備えた電装ユニットＵで構成されている。【００２７】  また、上記重量センサＳは、図２に示す歪みゲージＳ１によるものと、図３に示す圧電素子Ｐによるものとが採用される。その構成は、各々シート４とマット５の強靭な扁平体６内に歪みケージＳ１又は圧電素子Ｐ等を防水構成で内装したものである。そして、図２（ａ）（ｂ）と、図３（ａ）（ｂ）に示すように、被検知体１０の重量Ｆを負荷するとシート４が歪むと重量センサＳ（歪みゲージＳ１又は圧電素子Ｐ）がこれを感知する。
勿論、上記以外の型式が採用できる。例えば、容量センサによるもの、加圧スイッチによるもの等も採用できる。被検知体１０は、自転車１１、自動二輪車１２、自動車１３、自動販売機１４、農機具１５、家電機器１６、家具１７等である。尚、上記盗難防止具１００において、情報処理部１と情報発信部２とアラーム部３とからなる電装ユニッＵは、重量センサＳを納めた扁平体６内又は外側部に付設される。また、電源は電装ユニッＵ内に納めた乾電池又は充電可能な電源部（図示なし）によっている。勿論、外部電源としても良い。【００２８】  上記第１の実施の形態となる盗難防止具１００の作用を説明する。図１に示すように、被検知体１０は、自転車１１、自動二輪車１２、自動車１３、自動販売機１４、農機具１５、家電機器１６、家具１７等は、地面や床面に固定して敷くか、移動可能に敷かれる。この盗難防止具１００の重量センサＳ上にその一部が載せられる。具体的には、自転車１１、自動二輪車１２、自動車１３、農機具１５では、車輪の一つを載せる。自動販売機１４、家電機器１６、家具１７等は、その片側とか前面側が載せられる。盗難防止具１００の盗難を防ぐには、ボルトや接着剤等の固定手段により地面や床面に固定される。【００２９】  しかして、図２（ｂ）又は図３（ｂ）に示すように、上記重量センサＳに被検知体１０が載せられていると、この荷重Ｆで歪みゲージＳ１又は圧電素子Ｐが変形して、重量センサＳからの重量情報Ｉは、情報処理部１に入力して検出情報値Ｉ０となる。この後に、図２（ａ）又は図３（ａ）に示すように、上記情報処理部の数値（所定情報値）Ｉ０が、盗難等により被検知体１０が重量センサＳから外されると、重量減少を起こし、図１に示すように、所定時間（５秒〜１０秒前後）Ｔに渡り継続すると情報発信部２が警報信号Ａを発信する。上記情報発信部２からの警報信号Ａによりアラーム部３が起動して、警報音（激しい警報音）Ｋ又は警報メッセージ（警告を知らせる音声）Ｍを発信する。上記アラーム部３から発せられる警報音Ｋ又は警報メッセージＭは、電源スイッチ（図示なし）と兼用したリセットスイッチ（図示なし）によって停止される。以上の簡便な手段により、盗みを働く犯人に警戒感を与えて犯行を断念させ、退散させられる。【００３０】  本考案は上記盗難防止具１００に限定されない。図４に示す第２の実施の形態となる盗難防止具２００としても良い。その構成は、第１の実施の形態の盗難防止具１００において、情報発信部２からの警報信号Ａで警報音Ｋ又は警報メッセージＭを発信するアラーム部３の他、上記情報発信部２には、この警報信号Ａを登録されている携帯電話ＴＬ又はスマートフォンＳＨ又はパーソナルコンピュータＰＣ又は警備保障センタＫＣ等に送信表示させる情報送信装置２０と、を少なくとも備えたものである。また、電源は電装ユニッＵ内に納めた乾電池又は充電可能な電源部（図示なし）によっている。勿論、外部電源としても良い。その他の構成は、同一符号を附して説明を省略する。【００３１】  上記第２の実施の形態の盗難防止具２００によると、下記の作用が得られる。図４に示すように、被検知体１０は、自転車１１、自動二輪車１２、自動車１３、自動販売機１４、農機���１５、家電機器１６、家具１７等は、地面や床面に敷かれた重量センサＳ上にその
0003188703.tif 000003
では、車輪の一つを載せる。自動販売機１４、家電機器１６、家具１７等は、その片側とか前面側が載せられる。【００３２】  次に、上記重量センサＳからの重量情報Ｉは、情報処理部１に入力して検出情報値Ｉ０となる。この後に、上記情報処理部の数値（検出情報値）Ｉ０が重量減少を起こし、所定時間（５秒〜１０秒前後）Ｔに渡り継続すると情報発信部２が警報信号Ａを発信する。上記情報発信部２からの警報信号Ａによりアラーム部３が起動して、警報音（激しい警報音）Ｋ又は警報メッセージ（警告を知らせる音声）Ｍを発信する。更に、上記情報発信部２の警報信号Ａは、情報送信装置２０から電波に載せて登録されている携帯電話ＴＬ又はスマートフォンＳＨ又はパーソナルコンピュータＰＣ又は警備保障センタＫＣ等に送信表示される。しかして、盗みを働く犯人に警戒感を与えて犯行を断念させ退散させるとともに、被検知体１０の所有者には、即刻盗みを働く犯行を告知される。これにより、被検知体１０の所有者は、的確な行動が採れる。尚、上記アラーム部３から発せられる警報音Ｋ又は警報メッセージＭは、電源スイッチと兼用したリセットスイッチ（図示なし）によって停止される。以上の簡便な手段により、盗みを働く犯人に警戒感を与えて犯行を断念させ、退散させられる。【００３３】  更に、図５に示す第３の実施の形態となる盗難防止具３００としても良い。その構成は、第１の実施の形態の盗難防止具１００において、情報発信部２からの警報信号Ａで警報音Ｋ又は警報メッセージＭを発信するアラーム部３の他、上記情報発信部２には、ここから発信する警報信号Ａにより被検知体１０の近傍に設置したビデオカメラＶＣを自動起動させるとともに、所定時間（例えば、１分〜３分前後）被検知体１０とその周辺を撮影続行する指令を発信する映像指令装置３０と、を少なくとも備えたものである。また、電源は電装ユニッＵ内に納めた乾電池又は充電可能な電源部（図示なし）によっている。勿論、外部電源としても良い。その他の構成は、同一符号を附して説明を省略する。【００３４】  上記第３の実施の形態の盗難防止具３００によると、下記の作用が得られる。図５に示すように、被検知体１０は、自転車１１、自動二輪車１２、自動車１３、自動販売機１４、農機具１５、家電機器１６、家具１７等は、地面や床面に敷かれた重量センサＳ上にその一部が載せられる。具体的には、自転車１１、自動二輪車１２、自動車１３、農機具１５では、車輪の一つを載せる。自動販売機１４、家電機器１６、家具１７等は、その片側とか前面側が載せられる。【００３５】  次に、上記重量センサＳからの重量情報Ｉは、情報処理部１に入力して検出情報値Ｉ０となる。この後に、上記情報処理部の数値（検出情報値）Ｉ０が重量減少を起こし、所定時間（５秒〜１０秒前後）Ｔに渡り継続すると情報発信部２が警報信号Ａを発信する。上記情報発信部２からの警報信号Ａによりアラーム部３が起動して、警報音（激しい警報音）Ｋ又は警報メッセージ（警告を知らせる音声）Ｍを発信する。更に、上記情報発信部２の警報信号Ａは、映像受信装置３０を機能させて被検知体１０の近傍に設置したビデオカメラＶＣを自動起動させる。その撮影時間は、例えば所定時間（例えば、１���〜３分前後）とし、被検知体を盗もうとする犯人の人相・服装他の特徴を撮影する。これにより、被害届けを警察に提出して映像を分析することで犯人逮捕が的確に行える。【００３６】  本考案の第３の実施の形態となる盗難防止具３００において、第２の実施の形態となる盗難防止具２００の情報送信装置２０を備えれば、ここから電波に載せて登録されている携帯電話ＴＬ又はスマートフォンＳＨ又はパーソナルコンピュータＰＣ又は警備保障センタＫＣ等に送信表示させる機能が付加される。尚、上記アラーム部３から発せられる警報音Ｋ又は警報メッセージＭは、電源スイッチと兼用したリセットスイッチ（図示なし）によって停止される。【００３７】  本考案の第４の実施の形態となる盗難防止具４００は、第１の実施の形態となる盗難防止具１００において、携帯を便利にすべく具体的な実用性を高めたポケットタイプとしたものである。即ち、図６と図７において、４０Ｋｇ〜１００Ｋｇの重量に耐えられる扁平な立方体に形成したフレーム体４１と、このフレーム体内４２に上面が撓み可能な天板４３で形成した空間４２Ａと、上記空間の上面に設けた天板４３の内壁４３Ａに撓みを感知する薄くて小型の重力センサＳを設けている。尚、フレーム体４１の上面を閉塞する天板４３は、裏面隅に設けた突片Ｊをフレーム体４１の上面隅に設けた孔部Ｊ１に嵌めて着脱可能に機密に固着される。上記空間内４２Ａには、重量センサＳを含めた電装ユニットＵを設けている。その構成は、図８に見るように、上記重力センサの情報処理部１と検出情報値Ｉ０が所定の重量減少を感知すると警報信号Ａを発信する情報発信部２と上記情報発信部からの警報信号で警報音Ｋ又は警報メッセージＭを発信するアラーム部３のスピーカーＳＰと、二次電池（電源部）ＢとこのスイッチＱと充電部Ｃと、充電部Ｃを充電する電源コネクターＶを備えている。【００３８】  第４の実施の形態となる盗難防止具４００によれば、扁平な立方体に形成した堅牢なフレーム体と、このフレーム体４１内に重量センサＳとこの電装ユニットＵを設けているから、コンパクトな盗難防止具となる。即ち、小型、軽量、堅牢に造られた盗難防止具４００であるから、ライダー等のポケットへの収納が容易で携帯できる。具体的には、自転車又はオートバイのツーリング先での駐車時において、盗難防止具４００を地面に置き、自転車又はオートバイの前輪をフレーム体４１の上面に載せるだけで簡単にセットされる。セット後は、スイッチＱを入れると、重量センサＳが自転車等の重量Ｆを感知して盗難探知状態とする。もし、盗難行為で自転車又はオートバイの前輪がフレーム体４１の上面から外されると、直ちに、重量センサＳが重量Ｆの消滅を感知して警報音Ｋ又は警報メッセージＭをスピーカーＳＰから発信し、犯行行為を断念させられる。これに気付いた所有者は自転車又はオートバイまで駆け付けて、警報音Ｋ又は警報メッセージＭをスイッチＱの切る操作で停止する。勿論、自宅においても、同様に盗難防止ができる。【００３９】  本考案の第５の実施の形態となる盗難防止具５００は、第１の実施の形態となる盗難防止具１００において、ジュエリー等の高価で小物Ｘの盗難防止具５００としたものである。即ち、図９に��いて、略立方体に形成したフレーム体５１と、このフレーム体内に上面５２が微軽量な重量変化で撓み可能な天板５３で閉塞して形成した空間５４と、上記天板５３の内壁５４に微量撓みを感知する超小型の重力センサＳ（図示せず）を設けるとともに、上記空間内に電装ユニットＵ（図示せず）を備える。即ち、上記重力センサの情報処理部１と、この重量減少を感知すると警報信号Ａを発信する情報発信部２と、警報信号Ａで警報音Ｋ又は警報メッセージＭを発信するアラーム部３とからなり、これらがスイッチ部Ｑの操作で内蔵する乾電池と接続される。【００４０】  第５の実施の形態となる盗難防止具５００によれば、略立方体に形成したフレーム体５１と、このフレーム体５１内に重量センサＳとこの電装ユニットＵを設けているから、装飾品のテーブル上に載せて使用する盗難防止具となる。具体的には、ジュエリー（指輪、ネックレス、ブレスレット、イヤリング、ブローチ他）等の高価な小物Ｘを天板５３に載せて電源部Ｂをスイッチ部Ｑで入れると、探知状態となる。従って、宝石店において店員のスキを狙った盗難を行うと、小物Ｘが天板５３から外される重量減少を重力センサＳが感知してアラーム部３が警報音Ｋ又は警報メッセージＭをスピーカーＳＰから発信し、盗難を防止できる。尚、上記アラーム部３から発せられる警報音Ｋ又は警報メッセージＭは、スイッチ部Ｑの切り操作によって停止される。また、閉店後の盗難防止にも使用できる。【００４１】  本考案の盗難防止具１００、２００、３００、４００、５００によると、下記の効果が奏せられる。先ず、被検知体となる自転車、自動二輪車、自動車、自動販売機、農機具、家電機器、宝石等は、重量センサにより、各被検知体の重量が感知されており、上記重量センサの重量情報の数値が所定の重量減少を感知又は所定時間維持すると、アラーム部が情報発信部からの警報信号で警報音又は警報メッセージを発信するから、簡便な手段により盗みを働く犯人を退散できる。【００４２】  また、アラーム部が情報発信部からの警報信号で警報音又は警報メッセージを発信するとともに、上記情報発信部からの警報信号を送信表示する情報送信装置から携帯電話又はスマートフォン又はパーソナルコンピュータ又は警備保障センタＫＣ等に伝送できるから、盗難行為をリアルタイムに察知でき、緊急対応できる。【００４３】  また、アラーム部が情報処理部の数値が所定の重量減少を所定時間維持すると警報信号を発信すると、被検知体の近傍に設置したビデオカメラが情報映像指令装置により自動起動して所定時間被検知体とその周辺を撮影できるから、盗難行為をリアタイムに映像として保存でき、盗難犯人の特定が緊急対応できる。【００４４】  また、被検知体は、自転車、自動二輪車、自動車、自動販売機、農機具、家電機器等を広範囲に対象に出来るとともに、重量センサは、シートとマットとからなる扁平体内に歪みゲージ又は圧電素子等を防水構成で内装したから、厚みが少なくしかも広い面積の形状を呈し、且つ被検知体を安定して重量センサ上に載せられる。また、盗難犯人にも重量センサの存在を気付かれ難いと言う効果がある。
【産業上の利用可能性】
【００４５】  本考案は、自転車、自動二輪車、自動車、自動販売機、農機具、家電機器、宝石等の盗難防止具に限定した実施例で説明したが、これに限定されず、各種物品の盗難防止にも広範囲に適用可能である。
【符号の説明】
【００４６】１        情報処理部
２        情報発信部
３        アラーム部
４        シート
５        マット
６        扁平体
１０      被検知体
１１      自転車
１２      自動二輪車
１３      自動車
１４      自動販売機
１５      農機具
１６      家電機器
１７      家具
２０      情報送信装置
３０      映像指令装置
４１      フレーム体
４２Ａ    空間
４３      天板
４３Ａ    内壁
５０      ジュエリー等の小物
５１      フレーム体
５２      上面
５３      天板
５４      空間
１００    盗難防止具
２００    盗難防止具
３００    盗難防止具
４００    盗難防止具
５００    盗難防止具
Ａ        警報信号
Ｂ        電源部
Ｃ        充電部
Ｆ        重量
Ｋ        警報音
ＫＣ      警備保障センタ
Ｍ        警報メッセージ
Ｉ        重量情報
Ｉ０      検出情報値
Ｓ        重量センサ
Ｓ１      歪みゲージ
Ｐ        圧電素子
ＳＨ      スマートフォン
ＳＰ      スピーカ
ＴＬ      携帯電話
Ｔ        所定時間
Ｊ        突片
Ｊ１      孔部
ＰＣ      パーソナルコンピュータ
Ｑ        スイッチ
Ｕ        電装ユニット
ＶＣ      ビデオカメラ
Ｖ        電源コネクター
【図１】
0003188703.tif 000004
【図２】
0003188703.tif 000005
【図３】
0003188703.tif 000006
【図４】
0003188703.tif 000007
【図５】
0003188703.tif 000008
【図６】
0003188703.tif 000009
【図７】
0003188703.tif 000010
【図８】
0003188703.tif 000011
【図９】
0003188703.tif 000012
【手続補正書】
【提出日】平成25年11月7日(2013.11.7)
【手続補正１】
【補正対象書類名】実用新案登録請求の範囲
【補正対象項目名】請求項６
【補正方法】変更
【補正の内容】
【請求項６】
上記被検知体は、自転車、自動二輪者、自動車、自動販売機、農機具、家電機器であることを特徴とする請求項１または４または５記載の盗難防止具。
【手続補正２】
【補正対象書類名】実用新案登録請求の範囲
【補正対象項目名】請求項７
【補正方法】変更
【補正の内容】
【請求項７】
上記重量センサは、シート状又はマット状の扁平体内に歪みセンサ素子又は圧電素子を防水構成で内装したことを特徴とする請求項１〜５のいずれか一項に記載の盗難防止具。
【手続補正３】
【補正対象書類名】明細書
【補正対象項目名】００１７
【補正方法】変更
【補正の内容】
【００１７】  本考案の請求項６による盗難防止具は、請求項１または４または５記載の盗難防止具において、上記上記被検知体は、自転車、自動二輪者、自動車、自動販売機、農機具、家電機器であることを特徴とする。
【手続補正４】
【補正対象書類名】明細書
【補正対象項目名】００１８
【補正方法】変更
【補正の内容】
【００１８】  本考案の請求項７による盗難防止具は、請求項１〜５のいずれか一項に記載の盗難防止具において、上記重量センサは、シート状又はマット状の扁平体内に歪みセンサ素子又は圧電素子を防水構成で内装したことを特徴とする。